(57)【要約】      （修正有）【課題】光を当てたときに補強層の形状を模様として表面に現出する補強層を有するパネル材を提供する。【解決手段】パネル材１００は、透光性を有する２つの表面層２０ａ、２０ｂと、２つの表面層の間を光が連通する導光路３２を有する形状に形成された補強層３０と、を備える積層体１０を有する。一方の表面層の表面側から光を当てるとき、光が導光路を透過することによって、他方の表面層の表面側に補強層の形状が影となって表面層の表面に現出する。【選択図】図１
0003195334.tif 000002
【実用新案登録請求の範囲】
【請求項１】
透光性を有する２つの表面層と、
２つの前記表面層の間に設けられ、光を透過する導光路を有する形状に形成された補強層と、を備える積層体を有し、
一方の前記表面層の表面側から光を当てるとき、光が前記導光路を透過することによって、他方の前記表面層の表面側に前記補強層の形状が影となって前記表面層の表面に現出する、パネル材。
【請求項２】
前記補強層は、不透光性の材料から形成される、請求項１に記載のパネル材。
【請求項３】
前記補強層は、紙から形成される、請求項１または２に記載のパネル材。
【請求項４】
前記補強層は、互いに接する複数の筒状体から形成され、前記筒状体の軸方向が一方の前記表面層から他方の前記表面層へ向かう厚さ方向へ沿うように配置される、請求項１〜３のいずれか１項に記載のパネル材。
【請求項５】
前記表面層は、表面に模様を有する、請求項１〜４のいずれか１項に記載のパネル材。
【請求項６】
前記積層体の周囲の外周縁に取り付けられる枠体を有する、請求項１〜５のいずれか１項に記載のパネル材。
【請求項７】
前記枠体は、紙から形成される、請求項６に記載のパネル材。
【請求項８】
床面に対してスライド自在なスライド部を有する、請求項１〜７のいずれか１項に記載のパネル材。
【請求項９】
室内の間仕切りに使用される、請求項１〜８のいずれか１項に記載のパネル材。
【考案の詳細な説明】
【技術分野】
【０００１】
本考案は、パネル材に関する。
【背景技術】
【０００２】
特許文献１には、裏側から光を当てないときには、色柄層の色柄が表面側に露呈せず、通常のシート素材そのままの外観を呈する一方、裏側から光を当てるときには、シート素材の模様と共に色柄層の色柄が表面に現出するパネル材が開示されている。また、補強層をさらに有するパネル材も開示されている。
【先行技術文献】
【特許文献】
【０００３】
【特許文献１】特許第５０５０１２１号明細書
【考案の概要】
【考案が解決しようとする課題】
【０００４】
しかし、特許文献１に記載された補強層は補強材としての役割のみを果たし、光を当てたときに色柄層の色柄を表面に現出するために色柄層をさらに設ける必要がある。色柄層をさらに設けるので、材料費や製造コストが高くなり重量も増加してしまう。
【０００５】
そこで、本考案は、光を当てたときに補強層の形状が影となって表面に現出する補強層を有するパネル材を提供することを目的とする。
【課題を解決するための手段】
【０００６】
本考案に係るパネル材によれば、透光性を有する２つの表面層と、２つの前記表面層の間に設けられ、光を透過する導光路を有する形状に形成された補強層と、を備える積層体を有する。一方の前記表面層の表面側から光を当てるとき、光が前記導光路を透過することによって、他方の前記表面層の表面側に前記補強層の形状が影となって前記表面層の表面に現出する。
【考案の効果】
【０００７】
補強層が補強材としてだけではなく、光を当てたときに模様を表面層に現出させる色彩層の役割を果たすので、色彩層をさらに設ける必要がない。したがって、パネル材の材料費や製造コストを削減でき、軽量化も可能となる。
【図面の簡単な説明】
【０００８】
【図１】図１（Ａ）は、本考案に係るパネル材の断面図であり、図１（Ｂ）は、本考案に係るパネル材の正面図である。
【図２】図２は、パネル材を構成部材毎に分解して示す斜視図である。
【図３】図３（Ａ）は、裏側から光を当てないときに表側から見た状態の図であり、図３（Ｂ）は、裏側から光を当てるときに表側から見た状態を示す図である。
【図４】図４は、パネル材のスライド部がレール上にある状態の図である。
【図５】図５は、パネル材によって形成された間仕切りを使用して室内を仕切る状態の図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
図１は、本考案に係るパネル材１００の断面図である。図２は、パネル材１００を構成部材毎に分解して示す斜視図である。図３（Ａ）は、裏側から光を当てないときに表側から見た状態の図であり、図３（Ｂ）は、裏側から光を当てるときに表側から見た状態を示す図である。図４は、パネル材１００のスライド部５０がレール４００にスライド自在に係合している状態の図である。図５は、パネル材１００によって形成された間仕切り５００を使用して室内５１０を仕切る状態の図である。
【００１１】
図１（Ａ）に示すように、本実施形態に係るパネル材１００は、積層体１０を有する。積層体１０は、２つの表面層２０ａ、２０ｂと、当該表面層２０ａ、２０ｂの間に形成される補強層３０と、を有する。なお、本実施形態において積層体１０は、２つの表面層２０ａ、２０ｂと、補強層３０と、から形成される三層構造であるとしたが、これに限定されず四層以上の多層構造であってもよい。また、パネル材１００は、積層体１０の周囲の外周縁に取り付けられる枠体４０および床面に対してスライド自在なスライド部５０をさらに有する。
【００１２】
表面層２０ａ、２０ｂは、光源２００からの光を透過する半透明のシートから形成され、たとえば、紙、プラスチック、布、木材またはガラスを使用することができる。以下、パネル材１００に対して光源２００が配置される側である一方の表面層２０ｂの表面側を裏側、それとは反対側の他方の表面層２０ａの表面側を表側と称する。本実施形態においては、表面層２０ａ、２０ｂは、紙の中でも、特に和紙から形成される。和紙は、上品で柔らかな風合を有し、優れた質感があるのでデザイン性に優れた表面層２０ａ、２０ｂを容易に形成することができる。また、和紙は、洋紙に比べて、構成する繊維が格段に長いので丈夫である。和紙は、伝統的な流し漉き法または大量生産が可能な機械漉き和紙により製造したものを適宜使用することができる。和紙は、接合する補強層３０により補強されるので光を透過することができる程度に薄くすることが好ましく、坪量や厚さは適宜選択できる。
【００１３】
和紙は、模様入り和紙、無地、透かし入り和紙等を適宜使用することができる。本実施形態においては、図２に示すように、一方の表面層２０ａに模様入り和紙を使用する。表面層２０ａに模様を有することで、図３（Ａ）に示すように、裏側から光が当たらないときは表面層２０ａの模様が露呈し、図３（Ｂ）に示すように、裏側から光を当てるときは補強層３０の影による模様と表面層２０ａの模様が一体となった模様を現出させることができる。なお、一方の表面層２０ａに模様入り和紙を使用するとしたが、これに限定されず、他方の表面層２０ｂにも模様入り和紙を使用してもよい。
【００１４】
補強層３０は、２つの表面層２０ａ、２０ｂの間に設けられ、パネル材１００全体を補強するとともに模様を形成する。補強層３０は、不透光性のシートから隙間がある形状に形成される。補強層３０の材質としては、軽量化の観点から、たとえば、ダンボール等の紙、合成樹脂、軽金属材料が使用できる。本実施形態においては、補強層３０は、軽量かつ安価で、成形が容易な紙から形成される。これによって、パネル材１００の軽量化も可能となる。
【００１５】
補強層３０の形状は、図１（Ａ）に示すように、互いに接する複数の筒状体３１から形成され、筒状体３１の軸方向が一方の表面層２０ａから他方の表面層２０ｂへ向かう厚さ方向へ沿うように配置される。筒状体３１はすべて同じ形状であり、筒状体３１の断面は涙滴形状を有する。筒状体３１同士は接着剤３００によって接合し、補強層３０を形成する。接着剤３００は、デンプン糊等の天然系接着剤、ホットメルト系の接着剤、粘着剤等をパネル材１００の使用用途に合わせて適宜使用することができる。
【００１６】
補強層３０は、図２に示すように２つの表面層２０ａ、２０ｂに挟まれるように配置し、補強層３０と表面層２０ａ、２０ｂとを接着剤３００によって接合する。接着剤３００は、補強層３０に用いたものと同様のものを用いることができる。
【００１７】
筒状体３１の内側の空間は、光を透過する導光路３２となる。裏側から光を当てるとき、図３（Ｂ）に示すように、光を透過しない部分が影となって補強層３０の形状を表面層２０ａの表側に現出する。筒状体３１の内側に空間を有することによって、パネル材１００の通気性を備える。筒状体３１の軸方向が厚さ方向へ沿うように配置されているので、厚さ方向の強度を有し、保形性や耐圧性に優れる。光を当てたとき複数の筒状体３１の形状を表側に現出することによって、デザイン性を向上することができる。
【００１８】
補強層３０は、パネル材１００を補強するだけではなく、光を当てたときに模様を表面層２０ａに現出させる色彩層の役割を果たす。そのため、表面層２０ａに模様を現出させるために色彩層をさらに設ける必要がない。これによって、パネル材１００の材料費や製造コストを削減でき、同時に軽量化も可能となる。なお、筒状体３１の断面形状は涙滴形状に限定されず、丸形状や三角形状、四角形状等の角形状であってもよい。また、本実施形態では筒状体３１はすべて同じ形状であるとしたが、異なる形状を有していてもよい。
【００１９】
枠体４０は、図２に示すように、積層体１０の周囲の外周縁に取り付けられる。枠体４０を設けることによって、パネル材１００をさらに補強することができ、強度を高めることができる。枠体４０は、たとえば、紙、プラスチックまたはアルミニウムから形成される。本実施形態においては、枠体４０は、紙から形成される。これによって、パネル材１００の軽量化が可能となる。さらに、紙として再生紙を使用することで環境に優しいパネル材１００を製造することができる。
【００２０】
スライド部５０は、図４に示すように、パネル材１００の底部６０に形成される。スライド部５０は、建物の床面に設置されるレール４００に係合し、パネル材１００の床面に対してスライド自在であり、レール４００に沿った移動を可能とする。したがって、パネル材１００を容易に移動でき、取り扱い性を向上することができる。スライド部５０およびレール４００はアルミ等の金属や樹脂によって形成することができる。なお、本実施形態においては、レール４００は床面に設置されるとしたが、これに限定されず、天井にレール４００を設置してもよい。天井にレール４００を設置した場合は、パネル材１００は、レール４００に係合して、レール４００に沿ってスライド自在な係止部を有し、パネル材１００は天井に吊り下げられた状態で天井のレール４００に沿ってスライドする。
【００２１】
実施形態に係るパネル材１００によって、図５に示すように、建物の室内５１０の間仕切り５００を好適に形成することができる。上述のように、パネル材１００は、軽量であることから、建付けの際の作業や運搬も容易になる。スライド部５０を有することによって室内５１０を仕切るために複数のパネル材１００から形成された間仕切り５００を簡単に移動することができるので、人が短時間によって室内５１０の間仕切り５００をすることが可能となる。また、裏側から光が当たらないときは表面層２０ａの模様が間仕切り５００の表面に露呈し、光が当たるときは補強層３０の影による模様と表面層２０ａの模様が一体となったデザインを間仕切り５００の表側の表面に現出させることができる。したがって、実施形態に係るパネル材１００によってデザイン性の高く、室内５１０に容易に設置可能な間仕切り５００を形成することができる。
【００２２】
以上説明したように、本考案に係るパネル材１００は、透光性を有する２つの表面層２０ａ、２０ｂと、２つの表面層２０ａ、２０ｂの間に設けられ、光を透過する導光路３２を有する形状に形成された補強層３０と、を有する。裏側（一方の表面層２０ｂの表面側）から光を当てるとき、光が導光路３２を透過することによって、表側（他方の表面層２０ａの表面側）に補強層３０の形状が影となって表面層２０ａの表側に現出する。
【００２３】
このように構成したパネル材１００によれば、補強層３０が補強材としてだけではなく、光を当てたときに模様を表面層２０ａに現出させる色彩層の役割を果たすので、色彩層をさらに設ける必要がない。これによって、パネル材１００の材料費や製造コストを削減でき、同時に軽量化も可能となる。
【００２４】
また、補強層３０は、不透光性の材料から形成される。
【００２５】
このように構成したパネル材１００によれば、補強層３０は、光を透過しないので影によって表側に現出する模様が鮮明になる。
【００２６】
また、補強層３０は、紙から形成される。
【００２７】
このように構成したパネル材１００によれば、パネル材１００の軽量化が可能となり、成形も比較的容易となる。
【００２８】
また、補強層３０は、互いに接する複数の筒状体３１から形成され、筒状体３１の軸方向が一方の表面層２０ａから他方の表面層２０ｂへ向かう厚さ方向へ沿うように配置される。
【００２９】
このように構成したパネル材１００は、通気性を備え、さらに強度を備えるので保形性や耐圧性に優れる。光を当てたとき複数の涙滴形状を表側に現出することによってデザイン性を向上することができる。
【００３０】
また、表面層２０ａは、表面に模様を有する。
【００３１】
このように構成したパネル材１００によれば、裏側から光が当たらないときは表面層２０ａの模様が露呈し、光が当たるときは補強層３０の影による模様と表面層２０ａの模様が一体となったデザインを現出させることができる。
【００３２】
また、積層体１０の周囲の外周縁に取り付けられる枠体４０を有する。
【００３３】
このように構成したパネル材１００によれば、パネル材１００をさらに補強することができ、強度を高めることができる。
【００３４】
また、枠体４０は、紙から形成される。
【００３５】
このように構成したパネル材１００によれば、枠体４０を有するパネル材１００の軽量化が可能になる。また、紙として再生紙を使用することで環境に優しいパネル材１００を製造することができる。
【００３６】
また、床面に対してスライド自在なスライド部５０を有する。
【００３７】
このように構成したパネル材１００によれば、パネル材１００を容易に移動でき、取り扱い性を向上することができる。
【００３８】
また、室内５１０の間仕切り５００に使用される。
【００３９】
このように構成したパネル材１００によれば、デザイン性が高く、室内５１０に容易に設置可能な間仕切り５００を形成することができる。
【符号の説明】
【００４０】
１０  積層体、
２０ａ、２０ｂ  表面層、
３０  補強層、
３１  筒状体、
３２  導光路、
４０  枠体、
５０  スライド部、
６０  底部、
１００  パネル材、
２００  光源、
３００  接着剤、
４００  レール、
５００  間仕切り、
５１０  室内。
【図１】
0003195334.tif 000003
【図２】
0003195334.tif 000004
【図３】
0003195334.tif 000005
【図４】
0003195334.tif 000006
【図５】
0003195334.tif 000007